(57)【特許請求の範囲】
【請求項１】
互いに開閉回動自在に連結される第一部材，第二部材のいずれか一方にカム部を有する第一係合体を設け、他方にこのカム部に凹凸係合するカム係合部を有する第二係合体を設け、この第一係合体と第二係合体とが係合状態のとき第一部材と第二部材とが回動ロックされるように構成し、この第一係合体，第二係合体の少なくとも一方を係合方向に付勢する係合付勢体と、第一係合体に対して第二係合体を回動方向に付勢する回動付勢体とを備えて、押込みボタン部の押込み操作によって前記第一係合体に対して第二係合体が前記回動付勢体の付勢力により回動方向に付勢されることで前記第一部材，第二部材を自動的に開き回動させ得るように構成したヒンジ装置において、前記第一係合体は、第一部材に取り付けられる取付部の軸状係合材の端部にカム部を設けて構成され、この軸状係合材が第二部材に取り付けられるケーシングに回動自在に連結されることでカム部は該ケーシング内に回動自在に配されており、一方、前記第二係合体は、前記ケーシング内に回動自在にしてスライド移動自在に設けられ、前記カム部と凹凸係合する前記カム係合部を有する係合部材と、前記ケーシング内の前記係合部材に隣接する位置に該ケーシングに対して回り止め状態にしてスライド移動自在に設けられ、ケーシング内で係合部材とベアリング体を介して相対回動自在となる回動部材とで構成され、この回動部材は、一端部が前記軸状係合材に連結され他端部が前記ケーシングに連結されるトルクバネからなる前記回動付勢体により該ケーシングとともに前記軸状係合材に対して回動付勢されるように構成され、且つ、前記ケーシング内に設けられる前記係合付勢体により付勢されて前記係合部材を押圧して該係合部材を係合方向に付勢するように構成されており、この第二係合体に係る係合部材及び回動部材には、一端部に前記押し込みボタン部が設けられ該押込みボタン部を押込み操作することで押し戻し付勢体に抗して可動し得る可動軸に移動自在に被嵌される貫通孔が設けられ、係合部材は可動軸に設けた回り止め係止部以外の位置で可動軸に対して回動可能となるように構成され、前記押込みボタン部を押込み操作しない際には、可動軸の回り止め係止部に位置する係合部材と回動部材同志は相対回動不能状態にして係合部材はカム部とカム係合部との凹凸係合により前記第一部材に取り付けられる取付部の軸状係合材に対する回り止め状態が保持され、一方、前記押込みボタン部を押込み操作し、可動軸を移動させて係合部材を可動軸の回り止め係止部以外の位置とすることで、係合部材における可動軸に対する回動不能状態及び回動部材に対する相対回動不能状態が解除された際、係合部材はカム部とカム係合部との凹凸係合により軸状係合部に対する回り止め状態が保持されて回動部材のみが前記回動付勢体の付勢により前記第二部材に設けられるケーシングとともに回動し、前記第一部材に取り付けられる取付部に対して前記第二部材に取り付けられるケーシングが回動することで前記第二部材が前記第一部材に対して回動せしめられるように構成されていることを特徴とするヒンジ装置。
【請求項２】
前記取付部及び前記ケーシングは断面八角形状であることを特徴とする請求項１記載のヒンジ装置。
【請求項３】
請求項１，２いずれか１項に記載のヒンジ装置を前記第一部材と第二部材との枢着部に設けたことを特徴とするヒンジ装置を用いた電子機器。
【発明の詳細な説明】
【０００１】
【発明の属する技術分野】
本発明は、第一部材と第二部材を枢着するヒンジ装置並びにヒンジ装置を用いた電子機器に関するものである。
【０００２】
【従来の技術及び発明が解決しようとする課題】
例えば、携帯式電子機器の典型例としての携帯式電話機においては、携帯式電話機本体（本体部とディスプレイ部）を折り畳み自在に設けられた折り畳みタイプがある。
【０００３】
この折り畳みタイプは、スイッチの誤作動防止、折り畳み時におけるコンパクト化（ディスプレイの面積の確保）、デザインの多様性などの点において秀れている。
【０００４】
このような折り畳みタイプの携帯式電子機器においては、その開放をワンタッチ式に行うことが要望されている。
【０００５】
そこで、本出願人は、この要望に応ずるべく、本体部とディスプレイ部とを枢着するヒンジ装置に設けた押込みボタンを指で押すだけで、閉塞しているディスプレイ部が自動的に開放回動するように構成したヒンジ装置を提案している。
【０００６】
このヒンジ装置の構造について簡単に説明すると、携帯式電子機器の本体部，ディスプレイ部いずれか一方に対して回り止め状態に係合凸部を有する第一係合体を設け、他方に対して回り止め状態にこの係合凸部に係合する係合凹部を有する第二係合体を設け、この第一係合体と第二係合体とが係合状態のとき本体部とディスプレイ部とが回動ロックされるように構成し、この第一係合体，第二係合体の少なくとも一方を係合方向に付勢する係合付勢体（バネ）と、第一係合体，第二係合体の少なくとも一方を回動方向に付勢する回動付勢体（バネ）とを備え、第一係合体，第二係合体のいずれか一方を係合付勢バネに抗して離反方向にスライド移動させることで回動付勢バネにより第一係合体，第二係合体のいずれか一方を自動回動させる押込みボタンを備えたものである。
【０００７】
従って、係合付勢バネの係合付勢力に抗して押込みボタンを押し込むことで、第一係合体と第二係合体との係合状態が解除され、この第一係合体，第二係合体の少なくとも一方が回動付勢バネの付勢力で回動することで、本体部に対してディスプレイ部が開き回動することになる。
【０００８】
ところで、特に女性ユーザーにおいては、このディスプレイ部の開き操作に際して、押込みボタンの軽いタッチによりディスプレイ部が開くことが望まれており、この対処としては、係合付勢バネの付勢力を弱くすることになるが、この係合付勢バネの付勢力を弱くしてしまうと、回動付勢バネの付勢力により第一係合体と第二係合体との係合状態が解除され易く、即ち、例えば落としたりぶつかった際などほんの僅かな衝撃によっても本体部に対してディスプレイ部が開き回動するようになってしまい、また、本体部に対するディスプレイ部の閉塞時の閉じ力が弱くなってしまうなど、この係合付勢バネを弱くするには限界がある。
【０００９】
本出願人は、前述したヒンジ装置に更なる実験・研究を重ね、より一層商品価値の高い画期的なヒンジ装置並びにヒンジ装置を用いた電子機器を開発した。
【００１０】
【課題を解決するための手段】
添付図面を参照して本発明の要旨を説明する。
【００１１】
互いに開閉回動自在に連結される第一部材１，第二部材２のいずれか一方にカム部３を有する第一係合体４を設け、他方にこのカム部３に凹凸係合するカム係合部５を有する第二係合体６を設け、この第一係合体４と第二係合体６とが係合状態のとき第一部材１と第二部材２とが回動ロックされるように構成し、この第一係合体４，第二係合体６の少なくとも一方を係合方向に付勢する係合付勢体７と、第一係合体４に対して第二係合体６を回動方向に付勢する回動付勢体８とを備えて、押込みボタン部12の押込み操作によって前記第一係合体４に対して第二係合体６が前記回動付勢体８の付勢力により回動方向に付勢されることで前記第一部材１，第二部材２を自動的に開き回動させ得るように構成したヒンジ装置において、前記第一係合体４は、第一部材１に取り付けられる取付部18の軸状係合材19の端部にカム部３を設けて構成され、この軸状係合材19が第二部材２に取り付けられるケーシング15に回動自在に連結されることでカム部３は該ケーシング15内に回動自在に配されており、一方、前記第二係合体６は、前記ケーシング15内に回動自在にしてスライド移動自在に設けられ、前記カム部３と凹凸係合する前記カム係合部５を有する係合部材９と、前記ケーシング15内の前記係合部材９に隣接する位置に該ケーシング15に対して回り止め状態にしてスライド移動自在に設けられ、ケーシング15内で係合部材９とベアリング体20を介して相対回動自在となる回動部材11とで構成され、この回動部材11は、一端部が前記軸状係合材19に連結され他端部が前記ケーシング15に連結されるトルクバネからなる前記回動付勢体８により該ケーシング15とともに前記軸状係合材19に対して回動付勢されるように構成され、且つ、前記ケーシング15内に設けられる前記係合付勢体７により付勢されて前記係合部材９を押圧して該係合部材９を係合方向に付勢するように構成されており、この第二係合体６に係る係合部材９及び回動部材11には、一端部に前記押し込みボタン部12が設けられ該押込みボタン部12を押込み操作することで押し戻し付勢体10に抗して可動し得る可動軸13に移動自在に被嵌される貫通孔９ａ，11ａが設けられ、係合部材９は可動軸13に設けた回り止め係止部14以外の位置で可動軸13に対して回動可能となるように構成され、前記押込みボタン部12を押込み操作しない際には、可動軸13の回り止め係止部14に位置する係合部材９と回動部材11同志は相対回動不能状態にして係合部材９はカム部３とカム係合部５との凹凸係合により前記第一部材１に取り付けられる取付部18の軸状係合材19に対する回り止め状態が保持され、一方、前記押込みボタン部12を押込み操作し、可動軸13を移動させて係合部材９を可動軸13の回り止め係止部14以外の位置とすることで、係合部材９における可動軸13に対する回動不能状態及び回動部材11に対する相対回動不能状態が解除された際、係合部材９はカム部３とカム係合部５との凹凸係合により軸状係合部19に対する回り止め状態が保持されて回動部材11のみが前記回動付勢体８の付勢により前記第二部材２に設けられるケーシング15とともに回動し、前記第一部材１に取り付けられる取付部18に対して前記第二部材２に取り付けられるケーシング15が回動することで前記第二部材２が前記第一部材１に対して��動せしめられるように構成されていることを特徴とするヒンジ装置に係るものである。
【００１２】
また、前記取付部18及び前記ケーシング15は断面八角形状であることを特徴とする請求項１記載のヒンジ装置に係るものである。
【００１３】
また、請求項１，２いずれか１項に記載のヒンジ装置を前記第一部材１と第二部材２との枢着部に設けたことを特徴とするヒンジ装置を用いた電子機器に係るものである。
【００１４】
【発明の実施の形態】
好適と考える本発明の実施の形態（発明をどのように実施するか）を、図面に基づいてその作用効果を示して簡単に説明する。
【００１５】
本発明は、第一係合体４と第二係合体６とが係合状態となることで第一部材１と第二部材２とは回動ロックされる。この第一係合体４と第二係合体６は、係合付勢体７により付勢されているため、回動付勢体８により回動付勢されていても第一係合体４，第二係合体６に係るカム部３とカム係合部５が係合しており回動ロック状態は保持される。
【００１６】
即ち、例えば第一部材１と第二部材２とが重合した閉塞状態において、第一係合体４，第二係合体６に係るカム部３とカム係合部５とが係合した状態となるようにした場合、例えば係合付勢体７により係合付勢されているカム部３とカム係合部５とが係脱する位置まで回動しない限り第一部材１と第二部材２との閉塞状態が保持されることになる。
【００１７】
また、本発明は、押込みボタン部12のワンタッチ操作により、第一係合体４，第二係合体６の少なくとも一方が回動付勢体８の付勢力により回動方向に付勢されて、第一部材１に対して第二部材２が所定角度だけ自動的に開き回動する。
【００１８】
具体的には、本発明は、押込みボタン部12を押込み操作すると、少なくとも係合部材９は可動軸13の回り止め係止部14以外に位置し、これにより回動部材11は回動付勢体８の付勢により回動し、第二係合体６が回動方向に付勢されることになる（この際、カム部３とカム係合部５とは係合状態のままである。）。
【００１９】
つまり、押込みボタン部12を押込み操作せず第一部材１と第二部材２とを開き回動させた場合には、従来から提案されるヒンジ装置と同様、第一係合体４と第二係合体６とが係合した回動ロック状態の解除が、カム部３，カム係合部５同士の係合を解除することで行われることになるが、一方、押込みボタン部12を押し戻し付勢体10に抗して押込み操作した場合には、第二係合体６に連結される回動部材11だけが回動付勢体８の付勢により回動し得ることになり、よって、第一係合体４と第二係合体６とが係合した回動ロック状態の解除が、カム部３，カム係合部５同士の係脱を行わずに可動軸13に対する少なくとも係合部材９における回り止め状態の解除がきっかけとなって行われることになる。
【００２０】
従って、押込みボタン部12の押込み操作による第一部材１と第二部材２との自動回動構造が、従来のような第一部材１と第二部材２との閉じ方向への強い回動力を得るための構造とは関係のない構造であり、押込みボタン部12は専ら押し込んで離した際に戻るだけの付勢力が得られればよく、よって、押込みボタン部12を押し戻すための押し戻し付勢体10としてはそれ程強い付勢力を具備しない付勢体を採用することができることになり、軽い押込み操作で第一部材１と第二部材２とを開き回動できる自動回動構造を確実に実現することができる。
【００２１】
【実施例】
本発明の具体的な実施例について図面に基づいて説明する。
【００２２】
本実施例は、図１に示すように折り畳みタイプの携帯電話に適用した場合を示したもので、操作部16を備えた本体部を第一部材１とし、表示画面17を備えたディスプレイ部を第二部材２とし、第一部材１と第二部材２とが重合した閉塞状態から第二部材２を例えば１２０度まで回動した開放状態（通話位置）とすることができる枢着構造に本発明のヒンジ装置Ａを適用している。
【００２３】
そして、前述のように閉塞付勢されている回動ロック状態の閉塞状態において、押込みボタン部12を押込み操作すると、第二部材２が自動的に一挙に所定開放角度（例えば１２０度）まで回動して停止し（図２参照）、且つ、この押込みボタン部12を押込み操作しないで、手で第二部材２を回動することができ、手で第二部材２を回動操作する場合は、カム部３とカム係合部５とが係合した閉塞状態からこの係合が係脱するわずかな回動角度までは閉塞付勢されていて、この閉塞付勢に抗して所定回動角度以上手で回動させると、再びカム部３とカム係合部５とが係合して回動ロック状態となる前記所定開放角度までは手で第二部材２を回動することができ、しかもこの第二部材２から手を離すと、その離した位置で第二部材２は停止し、ふらつくことがないフリーストップ状態を実現した構成としている（図３参照）。
【００２４】
具体的には、本実施例では、第一部材１の基部に取付孔１ａを設け、第二部材２の基部にもこの取付孔１ａと連通状態に隣接する取付孔２ａを設け、この夫々の取付孔１ａ，２ａに軸状パーツとして構成した本発明のヒンジ装置Ａを装着する構成としている。
【００２５】
ディスプレイ部２（第二部材）には、前記取付孔２ａを介して回り止め形状とした第二係合体６の一部を構成する連結部としてのケーシング15を固定し、このケーシング15の一端側に露出状態で配される部材を第一係合体４の一部を構成する取付部18として取付孔１ａを介して本体部１（第一部材）に固定している。この取付部18及びケーシング15は、図示したように断面八角形状としているが、これは本体部１及びディスプレイ部２に対する堅固な回り止め固定を達成するための構成であると共に、この回り止め構造を備えながら内部に効率よく部品を収納し得る形状としての八角形状を採用している。符号18ａは取付部18の８つの角部に設けられ、本体部１に対する堅固な回り止め固定を達成するための係止糸リブである。
【００２６】
また、前記取付部18の内孔18ｂには先端部にカム部としての係合凸部３が設けられた第一係合体４を構成する軸状係合材19が回り止め状態で設けられている。
【００２７】
この第一係合体４に係る軸状係合材19は、後述する可動軸13に相対スライド移動自在にして相対回動自在に被嵌連結するための被嵌孔19ａを有し、先端部の係合凸部３が第二係合体６に係るケーシング15内に配される構成としている。
【００２８】
第二係合体６に係るケーシング15の他端側には閉塞部15ａを設け、更に、ケーシング15内には、前記第一係合体４に係る係合凸部３と対向し、互いに凹凸係合するカム係合部としての係合凹部５を有する係合部材９が設けられており、この係合部材９は、ケーシング15内に回動自在に設けると共に、ケーシング15内を係合離反方向にスライド移動自在に設けられている。
【００２９】
この係合凹部５は、１８０度対称位置にコ字状の凹部を形成し、この凹部が係合凸部３が係合する係合部分であり、係脱状態となるフリーストップ領域ではこの凹部間の頂面部に係合凸部３の先端面が後述する係合付勢体７による戻り押圧力により圧接し、後述する回動付勢体８の回動付勢が生じていても手で回動させない限り停止保持されるように構成している。
【００３０】
即ち、係合凹部５の凹部内を係合凸部３が係合する部分とし、この係合凹部５の頂面部を前記係合凸部３の先端面がフリーストップ状態の時に圧接するフリーストップ面とし、この係合凹部５の底面からこの頂面部までの凹部内斜面が係合凸部の係脱する際の乗り上がり面とし、この乗り上がり面の角度を係合凸部３が回動付勢体８の回動付勢力により係脱しないだけの十分な係合力を得るための角度に設定されている。尚、フリーストップ状態とは、本体部１に対してディスプレイ部２が所定角度で保持される状態を言う。
【００３１】
更に説明すると、係合凸部３，係合凹部５は、第一係合体４と第二係合体６とを相対回動させない限り乗り越え回動できないように構成され、本体部１に対してディスプレイ部２を開き回動させると、係合凹部５は係合付勢体７に抗して移動して係合凸部３との係合状態は解除される（図８参照）。
【００３２】
また、第二係合体６に係るケーシング15内には該ケーシング15に回り止め状態に設けると共に、ケーシング15に設けた案内溝15ｂに沿って係合離反方向にスライド移動自在となる回動部材11が設けられており、この回動部材11は円形板20ａにボール部材20ｂを配設して成るベアリング体20を介して前述した係合部材９に隣接されており、このベアリング体20を介してケーシング15内に回り止め状態に配設された回動部材11とケーシング15内にて回動自在となる係合部材９とは相対回動するように設けられている。
【００３３】
また、この回動部材11と前記閉塞部15ａとの間のケーシング15内には、係合部材９を係合方向に付勢する押しバネとしてのコイルバネを係合付勢体７として配設している。符号21はケーシング15内に回り止め状態に配設され、係合付勢体７を受ける八角形状の受け板部21ａと、ディスプレイ部２の取付孔２ａ内に嵌め殺し状態で嵌着する嵌着部21ｂとから成る連結体である。
【００３４】
また、一方、第一係合体４に係る係合凸部３の基部には、トルクバネを回動付勢体８として設けており、この回動付勢体８によりケーシング15を回動付勢することで、ケーシング15に回り止め状態に連結されて、該ケーシング15と一体的に回動する係合凹部５を、例えば固定状態とした係合凸部３に対して相対回動付勢するように構成している。
【００３５】
この回動付勢体８は、本体部１に対してディスプレイ部２を開放状態から閉塞状態にすることにより捩れが蓄えられて、回動トルクが生じるように構成している。符号22は回動付勢体８をケーシング15に止着するための止着部材である。
【００３６】
また、第一係合体４に係る軸状係合材19の中央部には貫通孔19ａが形成されており、この貫通孔19ａには可動軸13を挿通連結している。
【００３７】
この可動軸13は、その一端部に押込みボタン部12が回動自在に設けられ、他端部に前記係合付勢体７内に配され、前述した受け板部21ａとの間に押し戻し付勢体10を配設する付勢体受け部13ａが設けられており、押込みボタン部12を押込み操作することで、可動軸13は押し戻し付勢体10に抗して可動し得ることになり、押込みボタン部12を離すことで可動軸13は押し戻されることになる。
【００３８】
また、可動軸13は、その他端部に前述した第二連結体６に係る係合部材９及び回動部材11夫々の中央部に形成された貫通孔９ａ，11ａに嵌挿し得るように設けられており、この可動軸13に対して係合部材９及び回動部材11は相対スライド移動自在にして相対回動自在に設けられている。
【００３９】
また、可動軸13は、その他端部周面の対向位置に凸部14が形成されており、この凸部位置まで貫通孔９ａ，11ａの対向位置に設けた凹部９ａ’，11ａ’をスライド移動させて被嵌させた際には係合部材９及び回動部材11は可動軸13に対して回り止め係止状態となる。この凸部は請求項で言う回り止め係止部14である。
【００４０】
この回り止め係止部14により係合部材９と回動部材11とは相対回動不能状態であり、可動軸13を可動させて少なくとも係合部材９を回り止め係止部14以外の位置に位置させた際、係合部材９は第一係合体４に係る係合凸部３と係合凹部５が係合状態のため第一係合体４と一体的であり、一方、回動付勢体８の付勢により回動部材11は係合部材９に対して相対回動することになる（図９，１０参照）。
【００４１】
以上の構成から、押込みボタン部12を押し戻し付勢体10に抗して押込み操作することで、係合部材９に対する回り止め状態を解除した際、回動部材11は係合付勢体７の付勢により係合部材９を押圧してその係合凹部４と第一係合体４に係る係合凸部３との係合状態を保持しつつ、回動付勢体８の付勢により係合部材９に対して相対回動し、第二係合体６及び可動軸13は第一係合体４に対して相対回動することになる（図１１参照）。
【００４２】
図１２はフリーストップをより確実に実現する為の摩擦抵抗増大手段を設けた場合を図示している。
【００４３】
即ち、第一係合体４に係る係合凸部３と第二係合体６に係る係合凹部５との当接面積を大きく形成することで、前記係合付勢体７の戻り付勢力によって押圧当接するこの係合凸部３と係合凹部５との摩擦抵抗を高めてフリーストップを実現する。
【００４４】
具体的に説明すると、係合凹部５に、係合凸部３の頂部面が当接する頂部当接面５ａと係合凸部３の頂部側面が当接する側部当接面５ｂとを設けることでこの係合凸部３と係合凹部５との当接面積を大きくし、この係合凸部３と係合凹部５の摩擦抵抗を高めている。
【００４５】
また、頂部当接面５ａの外周縁部全周に前記係合凸部３の側部面が当接する側部当接面５ｂを設けているが、この係合凸部３が前記係合凹部５から係脱して係合凸部３と係合凹部５とが当接する全ての回動領域でこの頂部当接面５ａと側部当接面５ｂとが係合凸部３頂部面と頂部側面とに当接するように構成し、これにより係合凸部３が係合凹部４から係脱して係合凸部３と係合凹部５とが当接する全ての回動領域で極めて良好な摩擦抵抗を発揮してフリーストップを実現できるようにしている。
【００４６】
また、更に、係合凸部３の頂部に係止部３ａを設け、この係止部３ａが任意の回動領域で係止可能な係合部５ｃを係合凹部５の頂部当接面５ａに設けており、この係止部３ａと係合部５ｃとが係合付勢体７の戻り付勢力によって係合することにより任意の回動領域で位置決めされてより一層良好なフリーストップを実現している。
【００４７】
尚、本発明は、本実施例に限られるものではなく、各構成要件の具体的構成は適宜設計し得るものである。
【００４８】
【発明の効果】
請求項１記載の発明においては、押込みボタン部を押込み操作せず第一部材に対して第二部材を相対回動させた場合にも、確実且つ良好な開き回動が行われるのは勿論、押込みボタン部のワンタッチ操作で自動的に開き回動できて非常に使い易く、また、この押込みボタン部の押込み力を小さくできるため、例えば軽い指の操作でワンタッチ開放回動できることとなり、従来の問題も心配も生じない画期的なヒンジ装置となる。
【００４９】
また、請求項３記載の発明においては、極めて商品価値の高い画期的なヒンジ装置を用いた電子機器となる。
【図面の簡単な説明】
【図１】  本実施例の使用状態説明図である。
【図２】  本実施例の作動状態説明図である。
【図３】  本実施例の作動状態説明図である。
【図４】  本実施例を示す斜視図である。
【図５】  本実施例に係る要部を示す斜視図である。
【図６】  本実施例の分解斜視図である。
【図７】  本実施例に係る要部の説明断面図である。
【図８】  本実施例に係る要部の概略動作説明図である。
【図９】  本実施例に係る要部の概略動作説明図である。
【図１０】  本実施例に係る要部の概略動作説明図である。
【図１１】  本実施例に係る要部の概略動作説明図である。
【図１２】  別実施例に係る要部を示す斜視図である。
【符号の説明】
１  第一部材
２  第二部材
３  カム部
４  第一係合体
５  カム係合部
６  第二係合体
７  係合付勢体
８  回動付勢体
９ａ  貫通孔
９  係合部材
10  押し戻し付勢体
11  回動部材
11ａ  貫通孔
12  押込みボタン部
13  可動軸
14  回り止め係止部
15  ケーシング
18  取付部
19 軸状係合材
20 ベアリング体
【図１】
0003924195.tif 000002
【図２】
0003924195.tif 000003
【図３】
0003924195.tif 000004
【図４】
0003924195.tif 000005
【図５】
0003924195.tif 000006
【図６】
0003924195.tif 000007
【図７】
0003924195.tif 000008
【図８】
0003924195.tif 000009
【図９】
0003924195.tif 000010
【図１０】
0003924195.tif 000011
【図１１】
0003924195.tif 000012
【図１２】
0003924195.tif 000013